(57)【特許請求の範囲】
【請求項１】
電磁接触器の上部に付着するモータースターターモジュールにおいて、
前記電磁接触器の通信及び制御を担当するＰＣＢ基板、
前記電磁接触器の動作に応じて連動して動作する機構部、及び
前記ＰＣＢ基板と前記機構部の外側をカバーする上部ケースを含むことを特徴とする、モータースターターモジュール。
【請求項２】
前記機構部は、
前記電磁接触器の動作と物理的に連動するための稼動接点部、及び
前記ＰＣＢ基板と前記電磁接触器を物理的に連結して、電気的信号を伝達する固定接点部を含むことを特徴とする、請求項１に記載のモータースターターモジュール。
【請求項３】
前記稼動接点部を固定させ、前記モータースターターモジュールと前記電磁接触器を物理的に連結する稼動接点ケース、及び
前記固定接点部を固定させ、前記上部ケースと物理的に結合させるための固定接点ケース、をさらに含むことを特徴とする、請求項２に記載のモータースターターモジュール。
【請求項４】
前記上部ケースは、前記固定接点ケースと結合するための少なくとも一つの溝、を具備し、
前記固定接点ケースは、前記上部ケースと物理的に結合するための少なくとも一つのフック部、を具備することを特徴とする、請求項３に記載のモータースターターモジュール。
【請求項５】
前記稼動接点部は、稼動接点スプリング、稼動接点台、及びバックスプリングを含み、
前記機構部は、
前記電磁接触器がオフ状態時には、前記稼動接点台が前記固定接点台と接触を維持し、前記電磁接触器がオン状態時には、前記稼動接点台が前記固定接点台と接触が解除されて、前記電磁接触器のオン／オフ動作と連動して動作することを特徴とする、請求項２乃至４のいずれか一項に記載のモータースターターモジュール。
【請求項６】
前記固定接点部は、固定接点台及びスクリューを含み、
前記スクリューは、前記固定接点台と前記ＰＣＢ基板を電線を介して連結させ、前記電磁接触器のオン／オフ動作が起こると、電気的信号を前記ＰＣＢ基板に伝達し、
前記ＰＣＢ基板は、前記固定接点部から伝達された前記電気的信号に基づいて、前記電磁接触器を制御することを特徴とする、請求項２乃至５のいずれか一項に記載のモータースターターモジュール。
【発明の詳細な説明】
【技術分野】
【０００１】
本発明は、モータースターターモジュールに関し、より詳細には電磁接触器をローカルで直接駆動し通信で制御して線路費用節減、作業時間短縮、及び空間活用極大化が図れるモータースターターモジュールに関するものである。
【背景技術】
【０００２】
モータースターター(Ｍｏｔｏｒ  Ｓｔａｒｔｅｒ)は、モーター保護用配線遮断機(Ｍａｎｕａｌ  Ｍｏｔｏｒ  Ｓｔａｒｔｅｒ：ＭＭＳ)と電磁接触器(Ｍａｇｎｅｔｉｃ  Ｃｏｎｔａｃｔｏｒ：ＭＣ)を含む装置である。
【０００３】
モーター保護用配線遮断機は、定格絶縁電圧が交流６９０Ｖ(周波数５０Ｈｚまたは６０Ｈｚ)、直流２５０Ｖ以下の電路に用いられる機器であり、モーターの前端に設置して過電流、欠相、瞬時電流、及び短絡電流等による事故電流発生時に動作して系統を遮断することによって、系統及び負荷機器を保護する装置である。
【０００４】
電磁接触器は、電磁石に電流を通して接触子を付けて接点を閉じる装置であり、負荷電流程度の開閉を可能にする装置である。
【０００５】
図１は、従来のモータースターターが動作するシステムを示す。従来のモータースターターが動作するシステムは、ＰＬＣ(Ｐｒｏｇｒａｍｍａｂｌｅ  ｌｏｇｉｃ  ｃｏｎｔｒｏｌｌｅｒ)１０、Ｉ／Ｏ端子２０、ターミナル端子３０、及び複数のモータースターターで構成される。
【０００６】
モーター運転に伴う電磁接触器のオン／オフを制御するためには、ＰＬＣ１０とＩ／Ｏ端子２０を利用して、電磁接触器を制御する。即ち、電磁接触器を制御するためには、ＰＬＣ１０とＩ／Ｏ端子２０、及びターミナル端子３０が必要となる。そして、ＰＬＣ１０のＩ／Ｏ端子２０で電磁接触器のオン／オフを制御するためには、ＰＬＣ１０で電磁接触器の状態を周期的に分かるべきであり、その状態を見てＰＬＣ１０でＩ／Ｏ端子２０に連結された補助リレーを制御して、電磁接触器のオン／オフを制御する。
【０００７】
従って、ＰＬＣ１０に故障が生じると、電磁接触器の状態を監視できなくなると電磁接触器のオン／オフ制御が不可能になるため、システムに致命的な損傷を招く恐れがある。それだけでなく、このような従来のモータースターターを利用すると、追加機能のために補助リレーやＩ／Ｏ端子の追加が必要となるだけでなく、別途の資材や配線作業が求められ、費用上昇や空間制約が生じる問題がある。
【発明の概要】
【発明が解決しようとする課題】
【０００８】
本発明は、前記問題を勘案して案出されたもので、本発明の目的は、別途の資材や配線作業を要することなく、費用上昇や空間制約を解決できるモータースターターモジュールを提供することである。
【課題を解決するための手段】
【０００９】
前記目的を達成するための本発明の一実施形態に係るモータースターターモジュールは、電磁接触器の上部に付着するモータースターターモジュールにおいて、前記電磁接触器の通信及び制御を担当するＰＣＢ基板、前記電磁接触器の動作により連動動作する機構部、及び前記ＰＣＢ基板と前記機構部の外側をカバーする上部ケース、を含む。
【００１０】
そして、前記機構部は、前記電磁接触器の動作と物理的に連動するための稼動接点部、及び前記ＰＣＢ基板と前記電磁接触器を物理的に連結して、電気的信号を伝達する固定接点部、を含む。
【００１１】
また、前記稼動接点部を固定させ、前記モータースターターモジュールと前記電磁接触器を物理的に連結する稼動接点ケース、及び前記固定接点部を固定させ、前記上部ケースと物理的に結合させるための固定接点ケース、をさらに含んでもよい。
【００１２】
そして、前記上部ケースは、前記固定接点ケースと結合するための少なくとも一つの溝、を具備し、前記固定接点ケースは、前記上部ケースと物理的に結合するための少なくとも一つのフック部、を具備してもよい。
【００１３】
また、前記稼動接点部は、稼動接点スプリング、稼動接点台、及びバックスプリングを含み、前記機構部は、前記電磁接触器がオフ状態時には、前記稼動接点台が前記固定接点台との接触を維持し、前記電磁接触器が、オン状態時には、前記稼動接点台が前記固定接点台との接触が解除されて、前記電磁接触器のオン／オフ動作と連動して動作することができる。
【００１４】
そして、前記固定接点部は、固定接点台及びスクリューを含み、前記スクリューは、前記固定接点台と前記ＰＣＢ基板を電線にて連結して、前記電磁接触器のオン／オフ動作が発生すると、電気的信号を前記ＰＣＢ基板に伝達し、前記ＰＣＢ基板は、前記固定接点部から伝達された前記電気的信号に基づいて、前記電磁接触器を制御することができる。
【発明の効果】
【００１５】
本発明のモータースターターモジュールによると、別途の資材や配線作業を要せず費用上昇や空間制約を解決できる。即ち、電磁接触器をローカルで直接駆動し通信で制御して、線路費用節減、作業時間短縮、及び空間活用極大化が図れる。
【図面の簡単な説明】
【００１６】
【図１】従来のモータースターターが動作するシステムを示した図面である。
【図２】本発明の一実施形態に係るモータースターターモジュールを用いたシステムの構成を示した図面である。
【図３】本発明の一実施形態に係るモータースターターモジュールの外観を示した図面である。
【図４】本発明の一実施形態に係るモータースターターモジュールの構成を示したブロック図である。
【図５】本発明の一実施形態に係るモータースターターモジュールの動作方法を示したフローチャートである。
【図６】本発明の一実施形態に係るモータースターターモジュールの全体的な構成を示した図面である。
【図７Ａ】本発明の一実施形態に係るモータースターターモジュールにおいて、上部ケースとＰＣＢ基板の結合関係を示した図面である。
【図７Ｂ】本発明の一実施形態に係るモータースターターモジュールにおいて、稼動接点ケースと固定接点ケースの結合関係を示した図面である。
【図８】本発明の一実施形態に係るモータースターターモジュールにおいて、上部ケースと固定接点ケースの結合関係を示した図面である。
【図９】本発明の一実施形態に係るモータースターターモジュールにおいて、ＰＣＢ基板、稼動接点部、そして固定接点部の連結関係を示した図面である。
【発明を実施するための形態】
【００１７】
本発明は、種々の変更を加えることができ、様々な実施形態を有することができるが、特定実施形態を図面に例示し、詳細な説明において詳細に説明する。しかし、これは本発明を特定の実施形態に限定しようとするものではなく、本発明の思想及び技術範囲に含まれる全ての変更、均等物乃至代替物を含むものと理解しなければならない。
【００１８】
また、本発明を説明するに当たり、関連した公示技術に対する具体的な説明が本発明の要旨を不明確にすると判断される場合、その詳細な説明を省略する。
【００１９】
図２は、本発明の一実施形態に係るモータースターターモジュールを利用したシステムの構成を示した図面である。具体的に、複数のモータースターター(１２０−１、１２０−２、１２０−３、・・・ １２０−ｎ)と監視制御盤３００が一つのシステムを構成する。これと共に複数のモータースターター(１２０−１、１２０−２、１２０−３、・・・ １２０−ｎ)に電源を供給する電源供給部１１０がさらに含まれる。
【００２０】
モータースターター(１２０−１、１２０−２、１２０−３、・・・ １２０−ｎ)は、通信モジュール(Ｇ１、Ｇ２、Ｇ３、・・・、Ｇｎ)を含み、通信モジュールによって監視制御盤３００は、モータースターター(１２０−１、１２０−２、１２０−３、・・・ １２０−ｎ)の状態をモニタリングする。
【００２１】
モータースターター(１２０−１、１２０−２、１２０−３、・・・ １２０−ｎ)は、前述したように、モーター保護用配線遮断機(Ｍａｎｕａｌ  Ｍｏｔｏｒ  Ｓｔａｒｔｅｒ：ＭＭＳ)と電磁接触器(Ｍａｇｎｅｔｉｃ  Ｃｏｎｔａｃｔｏｒ：ＭＣ)を含む装置である。
【００２２】
モーター保護用配線遮断機は、定格絶縁電圧が交流６９０Ｖ(周波数５０Ｈｚまたは６０Ｈｚ)、直流２５０Ｖ以下の電路に用いられる機器であり、モーターの先端に設置して、過電流、欠相、瞬時電流、及び短絡電流等による事故電流発生時に動作して系統を遮断することによって、系統及び負荷機器を保護する装置と定義する。
【００２３】
そして、電磁接触器は、電磁石に電流を通して接触子を付けて接点を閉じる装置であり、負荷電流程度の開閉を可能にする装置と定義する。
【００２４】
監視制御盤３００と各モータースターター(１２０−１、１２０−２、１２０−３、・・・ １２０−ｎ)は、通信ケーブル２０１に連結される。
【００２５】
そして、モータースターター(１２０−１、１２０−２、１２０−３、・・・ １２０−ｎ)の間で通信モジュール(Ｇ１、Ｇ２、Ｇ３、…、Ｇｎ)も通信ケーブルに連結されており、各々のモータースターター(１２０−１、１２０−２、１２０−３、・・・ １２０−ｎ)は、通信ケーブルを連結する端子１２５を有する。
【００２６】
また、通信モジュール(Ｇ１、Ｇ２、Ｇ３、…、Ｇｎ)には、電磁接触器を制御するための有線ケーブルが連結される連結端子１２１を具備し、通信ＩＤ設定のためのＳ／Ｗ１２２、通信速度を設定するためのＳ／Ｗ１２３をさらに具備してもよい。
【００２７】
一方、各々のモータースターター(１２０−１、１２０−２、１２０−３、・・・ １２０−ｎ)は、電磁接触器のオン／オフを表示したり、通信状態の正常可否を表示したり、通信モジュールが正常に動作するか否かを表示する第１表示部１２６をさらに有してもよい。また、電磁接触器をオン／オフさせるための制御スイッチ１２７をさらに有してもよい。前記第１表示部は、ＬＥＤ(Ｌｉｇｈｔ  ｅｍｉｔｔｉｎｇ  ｄｉｏｄｅ)或いは７−セグメント(ｓｅｇｍｅｎｔ)で具現されてもよい。
【００２８】
このように通信ケーブルを通して各々のモータースターター(１２０−１、１２０−２、１２０−３、・・・ １２０−ｎ)と監視制御盤３００は、有線に連結され、監視制御盤３００は、通信ケーブルを通して各々のモータースターター(１２０−１、１２０−２、１２０−３、・・・ １２０−ｎ)から電磁接触器の状態をリアルタイムでモニタリングすることができる。
【００２９】
監視制御盤３００が各々のモータースターター(１２０−１、１２０−２、１２０−３、・・・ １２０−ｎ)に備えられた電磁接触器の状態をモニタリングする過程に関しては下記でより詳細に説明する。
【００３０】
一方、本発明のモータースターターが備えられるシステム１００には、各々のモータースターター(１２０−１、１２０−２、１２０−３、・・・ １２０−ｎ)に電源を供給する電源供給部１１０が備えられるが、電源供給部１１０は、１００Ｖ或いは２２０Ｖの動作電源を供給して、全体的なシステム１００を駆動する機能を有する。また、ＤＣ１２Ｖの電源を供給して、各々のモータースターター(１２０−１、１２０−２、１２０−３、・・・ １２０−ｎ)の動作をスムーズにする。そして、モータースターター(１２０−１、１２０−２、１２０−３、・・・ １２０−ｎ)は、１２Ｖ電源の入力を受けるための入力端子１２８及び１１０／２２０Ｖ電源の入力を受けるための入力端子１２４を具備する。
【００３１】
電源供給部１１０もＤＣ１２Ｖの電源供給のための出力端子１１１及びＤＣ１００／２２０Ｖの電源供給のための出力端子１１２を有し、これは連結ケーブル１１３、１１５を介してモータースターター(１２０−１、１２０−２、１２０−３、・・・ １２０−ｎ)と連結されて電源を供給する。
【００３２】
電源供給部１１０は、モータースターター(１２０−１、１２０−２、１２０−３、・・・ １２０−ｎ)に供給される電源状態を表示する第２表示部１１３をさらに具備してもよい。これは、ユーザが現在のモータースターター(１２０−１、１２０−２、１２０−３、・・・ １２０−ｎ)に供給される電源の正常可否を確認できるようにして、動作誤り及び事故を未然に防止できるようにする。
【００３３】
具体的に、第２表示部１１３は、供給電源が低電圧状態であるか否かを示す表示手段、供給電源が１１０Ｖ電圧であるか否かを示す表示手段、供給電源が２２０Ｖ電圧であるか否かを示す表示手段、及び供給電源が過電圧状態である否かを示す表示手段で構成できる。そして、表示手段は、ＬＥＤ(Ｌｉｇｈｔ  ｅｍｉｔｔｉｎｇ  ｄｉｏｄｅ)で具現できる。一方、各々のＬＥＤは、異なる色を現わすことによって、ユーザが直観的に電源供給がどのような状態であるかを確認できるようにする。
【００３４】
前記のような構成を有する電源供給部１１０は、モータースターター(１２０−１、１２０−２、１２０−３、・・・ １２０−ｎ)に電源を供給するだけでなく、供給される電源の状態をユーザに知らせることによって、ユーザが緊急状況発生時に早急な対処ができるようにする。
【００３５】
図３は、本発明の一実施形態に係るモータースターターモジュールの外観を示した図面である。図３において符号は、図２に対応する限り同じ符号を用いた。また、本発明の一実施形態に係るモータースターターモジュールの具体的な構成は、下記でより詳細に説明し、図３では、モータースターターモジュールの外観を中心に説明する。
【００３６】
本発明の一実施形態に係るモータースターターは、監視制御盤３００と他のモータースターターとの通信を可能にする通信モジュールを具備し、前記通信モジュールは、図３に示したように電磁接触器を制御するための有線ケーブルが連結される連結端子１２１、通信ＩＤ設定のためのＳ／Ｗ１２２、通信速度を設定するためのＳ／Ｗ１２３、１１０／２２０Ｖ電源の入力を受けるための入力端子１２４、各々のモータースターター(１２０−１、１２０−２、１２０−３、・・・ １２０−ｎ)の間で通信ケーブルを連結する端子１２５、電磁接触器のオン／オフ、通信状態の正常可否、通信モジュールが正常に動作するか否かを表示する第１表示部１２６、電磁接触器をオン／オフさせるための制御スイッチ１２７、及び１２Ｖ電源の入力を受けるための入力端子１２８を含む。
【００３７】
但し、図３に示した通信モジュール(Ｇ１、Ｇ２、Ｇ３、・・・、Ｇｎ)は、一つの実施形態に過ぎず、これとは異なって構成されてもよいことは勿論である。特に、各々の端子或いは表示手段の配置は、同じ機能を有するのであれば、これとは異なって配置されてもよい。
【００３８】
図３に示した通信モジュール(Ｇ１、Ｇ２、Ｇ３、・・・、Ｇｎ)は、本発明の一実施形態に係るモータースターターの状態情報を監視制御盤３００にリアルタイムで提供することによって、前述した効果を持たせる。
【００３９】
図４は、本発明の一実施形態に係るモータースターターモジュールの構成を示したブロック図である。
【００４０】
図４に示したように、本発明の一実施形態に係るモータースターター２００は、ＭＣ状態入力部２１０、ＭＭＳ状態入力部２２０、表示部２３０、通信部２４０、及び制御部２５０を含む。
【００４１】
ＭＣ状態入力部２１０は、電磁接触器とＭＣ状態接点２１１に連結されて、電磁接触器から状態情報(以下、ＭＣ状態情報)の入力を受ける機能を有する。
【００４２】
ＭＭＳ状態入力部２２０は、モーター保護用配線遮断機とＭＭＳ状態接点２２１に連結されて、モーター保護用配線遮断機から状態情報(以下、ＭＭＳ状態情報)の入力を受ける機能を有する。
【００４３】
表示部２３０は、電磁接触器のオン／オフ、通信状態の正常可否、通信モジュールが正常に動作するか否かを表示する機能を有する。
【００４４】
通信部２４０は、ＭＣ状態入力部２１０を介して入力を受けたＭＣ状態情報、及びＭＭＳ状態入力部２２０を介して入力を受けた状態情報を監視制御盤３００に伝達する機能を有する。通信部２４０は、監視制御盤３００とケーブルを介して有線に連結され、監視制御盤３００から要請がある場合、後述する制御部２５０の制御によって状態情報を監視制御盤３００に伝達する。
【００４５】
制御部２５０は、監視制御盤３００から電磁接触器を動作させろとの命令が転送されると、ＭＣ状態情報及びＭＭＳ状態情報を読み出して、現在ＭＣ状態情報がＯＦＦでＭＭＳ状態情報がＯＮである場合、即ち、電磁接触器が非動作中で、モーター保護用配線遮断機が動作中である場合、ＭＣコイル２６０に連結された電磁接触器に制御命令を伝達して、電磁接触器を動作するようにする一方、制御完了命令を監視制御盤３００に伝達する。
【００４６】
一方、監視制御盤３００から電磁接触器を動作させろとの命令が転送された時、既にＭＣ状態情報がＯＮで、ＭＭＳ状態情報がＯＦＦの場合は、制御命令をせず、監視制御盤３００にＮＡＫメッセージを伝送する。
【００４７】
また、制御部２５０は、監視制御盤３００から電磁接触器をオフしろとの命令が転送される場合、ＭＣ状態情報及びＭＭＳ状態情報を読み出して、ＭＣ状態情報がＯＮで、ＭＭＳ状態情報がＯＦＦであれば、正常に制御命令を行い、制御完了命令を監視制御盤３００に伝送する。
【００４８】
逆に、制御部２５０は、監視制御盤３００から電磁接触器をオフしろとの命令が転送される場合、ＭＣ状態情報及びＭＭＳ状態情報を読み出して、ＭＣ状態情報がＯＦＦで、ＭＭＳ状態情報がＯＦＦであれば、制御命令を行わず、監視制御盤３００にＮＡＫメッセージを伝送する。
【００４９】
一方、制御部２５０は、周期的にＭＭＳ状態情報の入力を受けて、ＭＭＳ状態情報がＯＮ(正常)からＯＦＦ(非正常)に変更される場合、ＭＣコイル２６０に連結された電磁接触器をオフ(ＯＦＦ)させることができる。
【００５０】
前記のような構成によって、監視制御盤３００は、ＭＣ状態情報とＭＭＳ状態情報をリアルタイムでモニタリングしながら、電磁接触器を制御できるようになって、システムの安全性を高めることができる。
【００５１】
最後に、図５のフローチャートは、本発明の一実施形態に係るモータースターターモジュールの動作方法を示す。
【００５２】
まず、モジュール初期化(Ｓ３００)及び通信速度と通信ＩＤ(ＩＤ)を設定する(Ｓ３１０)。以後、電磁接触器制御命令を受信したのか否かを判断する(Ｓ３２０)。仮に電磁接触器制御命令を受信しなかった場合は（Ｓ３２０−Ｎｏ)、電磁接触器とモーター保護用配線遮断機の状態値を読み出して(Ｓ３３０)、読み出した状態値を監視制御盤に伝送する(Ｓ３４０)。この過程は、ＭＣ状態入力部とＭＭＳ状態入力部を介して行える。
【００５３】
電磁接触器制御命令が受信された場合(Ｓ３２０−Ｙｅｓ)、電磁接触器をオン(ＯＮ)させろとの命令であるかオフ(ＯＦＦ)させろとの命令であるかを判断する(Ｓ３５０)。仮に電磁接触器をオンさせろとの命令の場合(Ｓ３５０−Ｙｅｓ)、電磁接触器及びモーター保護用配線遮断機の状態値を読み出して(Ｓ３６０)、電磁接触器の状態値がオフ(ＯＦＦ)でモーター保護用配線遮断機の状態値がオン(ＯＮ)であれば(Ｓ３６３−Ｙｅｓ)、電磁接触器をオン状態にしてＬＥＤをオンにする(Ｓ３６６)。また、電磁接触器オン制御完了メッセージを監視制御盤に伝送する(Ｓ３６９)。一方、電磁接触器をオンさせろとの命令であり、電磁接触器の状態値がオフ(ＯＦＦ)でモーター保護用配線遮断機の状態値がオン(ＯＮ)でなければ(Ｓ３６３−Ｎｏ)、ＮＡＫメッセージを監視制御盤に伝送して誤りが生じたことを知らせる(Ｓ３８０)。
【００５４】
これとは異なって、電磁接触器をオンさせろとの命令でない場合、即ち電磁接触器をオフさせろとの命令が受信された場合(Ｓ３５０−Ｎｏ)には、先に電磁接触器及びモーター保護用配線遮断機の状態値を読み出し(Ｓ３７０)、電磁接触器の状態値がオンでモーター保護用配線遮断機の状態値がオフであれば(Ｓ３７３−Ｙｅｓ)、電磁接触器をオフさせて、電磁接触器の動作状態を示すＬＥＤをオフさせる(Ｓ３７６)。そして、電磁接触器をオフしたとのメッセージを監視制御盤に伝送する(Ｓ３７９)。一方、電磁接触器をオフさせろとの命令であり、電磁接触器の状態値がオンでモーター保護用配線遮断機の状態値がオフでなければ(Ｓ３７３−Ｎｏ)、ＮＡＫメッセージを監視制御盤に伝送して誤りが生じたことを知らせる(Ｓ３８０)。
【００５５】
このような構成によって、上位監視制御盤において電磁接触器の状態モニタリングをリアルタイムでできるようになり、電磁接触器の安定した制御を可能にすると共に費用上昇や空間制約等の問題が解消できる。
【００５６】
図６は、本発明の一実施形態に係るモータースターターモジュールの全体的な構成を示した図面である。本発明の一実施形態に係るモータースターターモジュール４００は、図３及び図４では、モータースターターモジュールを図面番号２００と記載したが、図６のモータースターターモジュールは、図３及び図４と同一である。但し、機械的な構成を中心に説明する図６においては図面番号４００に変えて表示した。
【００５７】
図６に示したように、本発明の一実施形態に係るモータースターターモジュール４００は、電磁接触器１０の上部に付着する形態に設計してもよい。具体的に、モータースターターモジュール４００の構成の稼動接点ケースの下段部に備えられた結合部４３４が、電磁接触器１０の上部に備えられた溝１１に挿入される。即ち、図６の左側に示したようにモータースターターモジュール４００は、電磁接触器１０に矢印方向に結合する。その結果を図６の右側に示した。このように、本発明の一実施形態に係るモータースターターモジュール４００は、電磁接触器１０の上部に付着して電磁接触器１０の動作を感知し、制御するようになる。
【００５８】
図７Ａは、本発明の一実施形態に係るモータースターターモジュールにおいて、上部ケースとＰＣＢ基板の結合関係を示した図面である。
【００５９】
図７Ａにおいて、ＰＣＢ基板は、電磁接触器１０との通信を担当するか電磁接触器１０を制御する機能を有する。図７Ａのように、ＰＣＢ基板４２０は、上部ケース４１０内部に組み付けられる。つまり、上部ケース４１０は、ＰＣＢ基板４２０を覆う形態で組み付けられ、その結果を図７Ａの右側に示した。
【００６０】
一方、ＰＣＢ基板４２０に備えられる各構成要素は、既に図３で図面番号１２１から１２８に表記して説明したため、ここではその説明を省略する。
【００６１】
図７Ｂは、本発明の一実施形態に係るモータースターターモジュールにおいて、機構部を構成する稼動接点ケースと固定接点ケースの結合関係を示した図面である。
【００６２】
図７Ｂに示したように、機構部は、稼動接点ケース４３０と固定接点ケース４４０、そして各ケース４３０、４４０が具備する要素を含む。稼動接点ケース４３０は、稼動接点台４３１、稼動接点スプリング４３２、及びバックスプリング４３３を固定させる機能を有する。ここで、稼動接点ケース４３０が固定している稼動接点台４３１、稼動接点スプリング４３２、及びバックスプリング４３３を総称して稼動接点部と表記する。
【００６３】
具体的に、稼動接点台４３１は、稼動接点スプリング４３２上に組み付けられ、稼動接点ケース４３０の翼外側にバックスプリング４３３が組み付けられる。また、稼動接点ケース４３０の下部には、電磁接触器１０と結合するための結合部４３４が備えられる。これは、図６に示したように、電磁接触器１０の上部に備えられた溝１１と連結されて、物理的結合をなす。
【００６４】
一方、固定接点ケース４４０は、固定接点台４４２及び固定接点台４４２を固定しながら電線を連結するためのスクリュー４４１を含む。固定接点台４４２とスクリュー４４１を総称して固定接点部と表記する。このような固定接点部は、固定接点ケース４４０の左、右角に一つずつ備えられる。
【００６５】
図８は、本発明の一実施形態に係るモータースターターモジュールにおいて、上部ケースと固定接点ケースの結合関係を示した図面である。
【００６６】
図８に示したように、固定接点ケース４４０は、フック部４４３を具備し、フック部４４３は、上部ケース４１０に形成された溝４１１と結合して、モータースターターモジュール４００を構成する。図８では、フック部４４３及び溝４１１が４つ備えられたことを想定したが、より少ないかより多くのフック部４４３と溝４１１が備えられても構わない。
【００６７】
図９は、本発明の一実施形態に係るモータースターターモジュールにおいて、ＰＣＢ基板、稼動接点部、そして固定接点部の連結関係を示した図面である。前述したように、稼動接点部は、稼動接点台４３１、稼動接点スプリング４３２、及びバックスプリング４３３を含み、固定接点部は、固定接点台４４２とスクリュー４４１を含む。一方、ＰＣＢ基板４２０と固定接点部の固定接点台４４２は、電線４５０で連結されてスクリュー４４１は、電線４５０を固定する機能を有する。
【００６８】
モータースターターモジュール４００の動作を図９を参照しながら説明すると、電磁接触器１０がオン／オフすると、電磁接触器１０の動作部は上下に動作するようになり、電磁接触器１０の上部に付着したモータースターターモジュール４００は、電磁接触器１０が動作に連動して機構部の稼動接点部、即ち稼動接点台４３１、稼動接点スプリング４３２、及びバックスプリング４３３が動作するようになる。
【００６９】
電磁接触器１０がオフ状態時には、モータースターターモジュール４００の機構部の稼動接点台４３１は、稼動接点スプリング４３２とバックスプリング４３３の荷重で固定接点台４４２と接触を維持する状態となる。
【００７０】
一方、電磁接触器１０がオン状態時には、稼動接点部は、下方向に移動し、接触していた稼動接点台４３１と固定接点台４４２は互いに分離される。
【００７１】
ＰＣＢ基板４２０と電線４５０に連結された固定接点台４４２は、電磁接触器１０のオン／オフ動作が起こると、電気的シグナルをＰＣＢ基板４２０に伝達する。ＰＣＢ基板４２０は、伝達された電気的シグナルを利用して電磁接触器１０を制御する。
【００７２】
このように、本発明の一実施形態に係るモータースターターモジュール４００は、電磁接触器１０に直接結合されて、電磁接触器１０が動作に連動して動作することによって、電磁接触器１０の制御を司るようになる。特に、電磁接触器１０の上部に結合されることで空間を節約することができ、ローカル制御が可能となるにつれてモーター制御システム構成時の作業時間を短縮して、線路費用を減少できる効果を図る。
【００７３】
以上、多様な実施形態において説明した各構成要素及び／または機能は、互いに複合的に結合して具現でき、本発明が属する技術分野において通常の知識を有する者は、下記特許請求の範囲に記載された本発明の思想及び領域から逸脱しない範囲内で本発明を多様に修正及び変更ができることを理解するだろう。
【符号の説明】
【００７４】
１０    電磁接触器
４００    モータースターター
４１０    上部ケース
４２０    ＰＣＢ基板
４３０    稼動接点ケース
４４０    固定接点ケース
【図１】
0005497878.tif 000002
【図２】
0005497878.tif 000003
【図３】
0005497878.tif 000004
【図４】
0005497878.tif 000005
【図５】
0005497878.tif 000006
【図６】
0005497878.tif 000007
【図７Ａ】
0005497878.tif 000008
【図７Ｂ】
0005497878.tif 000009
【図８】
0005497878.tif 000010
【図９】
0005497878.tif 000011